(57)【要約】      （修正有）【課題】速やかに組み立てを完了でき、また完了後には運搬することができ、使用時の安定性を大きく向上させた仮設トイレ組み立てキットを提供する。【解決手段】台座、４本の側柱２０、４本の鞘管３０、４枚のパネル４０及び屋根５０を含み、台座の４辺の角には、それぞれ１つのねじ孔１５が設けられ、側柱の上端部、下端部には、それぞれ第１及び第２スクリュースレッド部２１、２２が設けられ、鞘管の円周片側には、開口部があり、開口部の両側は外に向けて延伸する翼部を有し、パネルの両側辺縁には、それぞれ１つの凹部４１が形成され、凹部側端は外側に延伸する斜面４２を介し内側に折り曲がる弓状の接触辺４３を有し、これにより、接触辺を側柱外周に密着させる。パネルの頂部には、スカーフ接合部４５が設けられ、屋根の上には第１スクリュースレッド部挿入用の４つのスルーホール５１と排気パイプ１６挿入用のせん孔５２が設けられている。屋根の内表面上にはスカーフ接合溝５３が一体成型されている。【選択図】図２
0003190835.tif 000002
【実用新案登録請求の範囲】
【請求項１】
改良構造を有する仮設トイレ組立キットであって、
１つの台座、４本の側柱、４本の鞘管、４枚のパネル及び１つの屋根を含み、
台座の４辺の角には、それぞれ１つのねじ孔が設けられ、
側柱の上端部、下端部には、それぞれ第１スクリュースレッド部及び第２スクリュースレッド部が設けられ、
鞘管の円周の片側には、開口部があり、開口部の両側は外に向けて延伸する翼部を有し、
パネルの両側の辺縁には、それぞれ１つの凹部が形成され、凹部側端は外側に延伸する斜面を介し内側に折り曲がる接触辺を有し、該接触辺は弓状を呈し、及び該パネルの頂部には、スカーフ接合部が予め設けられ、
屋根は台座の外周サイズに合わせて設置され、且つ４辺の角にはそれぞれ１つの貫通するスルーホールが設けられ、その内表面上にはスカーフ接合溝が設けられ、
上記構造により、側柱は第２スクリュースレッド部により、台座のねじ孔に捻じ込み、台座上に直立するよう装着され、各パネルは台座の周囲を囲み、且つ接触辺は側柱外周に密着することで支持され、鞘管は開口部を利用して、上から下に嵌めることで２枚のパネルの接触辺の外周上に嵌れ、鞘管本来の弾性と、翼部が斜面上に接触することにより、パネルを確実に側柱に結束させ、パネルに内側、外側からの二重の位置決めを提供し、
最後に屋根を装着し、第１スクリュースレッド部をスルーホールから外部に延伸させ、パネルのスカーフ接合部は屋根のスカーフ接合溝とスカーフ接合することを特徴とする、改良構造を有する仮設トイレ組立キット。
【請求項２】
台座の前方には踏み台エリアが設けられ、踏み台エリアの後方には高くなっている使用エリアがあることを特徴とする、請求項１に記載の改良構造を有する仮設トイレ組立キット。
【請求項３】
踏み台エリアと使用エリア上に、それぞれ洗浄用ペダル及び便器が装着されていることを特徴とする、請求項２に記載の改良構造を有する仮設トイレ組立キット。
【請求項４】
台座上には、直立状の排気パイプが設けられ、屋根の排気パイプと対応する位置にはせん孔があり、屋根を装着した場合、排気パイプはせん孔から外に延伸することを特徴とする、請求項１に記載の改良構造を有する仮設トイレ組立キット。
【請求項５】
前方に位置するパネルには、開閉可能なドアパネルが装着されていることを特徴とする、請求項１に記載の改良構造を有する仮設トイレ組立キット。
【請求項６】
パネルの上部に近い位置には、通気窓が設けられていることを特徴とする、請求項１に記載の改良構造を有する仮設トイレ組立キット。
【請求項７】
屋根の外部に延伸する第１スクリュースレッド部に、ねじ接合により固定しているフックを有することを特徴とする、請求項１に記載の改良構造を有する仮設トイレ組立キット。
【考案の詳細な説明】
【技術分野】
【０００１】
本考案は、改良構造を有する仮設トイレ組立キットに関し、特に固定式トイレの不足を補い、または完全に代替となる、室外の空き地に設置する流動式トイレの組立キットに関する。
【背景技術】
【０００２】
一般的に、辺鄙な地域、観光地または室外で大型集会を開くような場所は、場合によっては周囲が完全に開放された空地であり、トイレ設備はないが、人の出入りによりトイレの需要があり、よって仮設トイレを設置する必要がある。現在の一般的に良く見られる仮設トイレの設置は、多くの場合、複数のパネルと幾つかのＬ型角ブラケットを連結させることで作られ、角ブラケットとパネル上のロックホールは対応し、ボルトを締めれば、各パネルと台座とを互いに固定に、これにより仮設トイレの組み立てを完了する。
【０００３】
しかし、上記の従来の構造は、実際応用においては以下の問題点がある。
【０００４】
（一）ボルトと角ブラケットを用いてロックするが、ボルトをゆっくり捻る必要があるため、組立時及び解体時において、従来の構造は比較的に便利性がよくない。
【０００５】
（二）仮設トイレの組み立てが完了してから、設置位置まで短距離移動させる場合、組立・解体が容易ではないことから、作業員は直接運搬する方法で移動させようとするが、従来の仮設トイレのパネルはそれぞれ完全にフラットな面であり、力を施しやすいようなつかみ所がなく、よって移動時には、スムーズに運搬できないという問題が生じ、使用上において大変面倒である。
【０００６】
図９に示す構造（即ち、米国特許第４７４４１１１号）は、もう一種類の仮設トイレ組立キットの構造であり、該構造は以下を含む。即ち、１つの台座７０、４枚のパネル７１、４本の鞘管（ｓｌｅｅｖｅ  ｐｉｐｅ）７２及び１つの屋根７３を含み、台座７０の前方には踏み台エリア（足を乗せるための床部）７０１があり、踏み台エリア７０１の後方には、高くなっている使用エリア７０２がある。パネル７１の両側は外向きに適切な角度で巻きあがり、それぞれ１つの翼部７１１を形成し、翼部７１１上には複数の傾斜状のガイド溝７１２がある。ガイド溝７１２の末端はそれぞれ、垂直に下向きに１つの係止溝７１３があり、また、それぞれのパネル７１は、台座７０の周囲を囲み、これにより２枚の隣接するパネル７１の翼部７１１が互いに接触する。鞘管７２の一方には、開口部７２１があり、開口部７２１は内向きに、鞘管７２の両側に、それぞれ複数の位置決定ピン７２２があり、該翼部７１１は該開口部７２１に入り、これにより鞘管７２はスムーズに２つの隣接する翼部７１１の外周を囲む。また、ガイド溝７１２とロック部７１３は位置決定ピン７２２が導入された後にロックし、各パネル７１は鞘管７２によって連結し、互いの位置決めを達成し、屋根７３は、台座７０の外枠に適合するように設置し、これにより各パネル７１の上方を覆う。
【０００７】
しかし、上記のもう一種類の従来の構造は、実際の応用において以下の問題点が存在する。即ち、鞘管７２のみにより支持されるため、安定性が比較的弱く、係止溝７１３の係止を提供できる範囲は限られるため、使用上において結合力が不足する恐れがある。
【０００８】
よって、前記の従来の仮設トイレ組立キットに存在する欠点に対してどのように研究改良を行うかは、実に関連業界が研究開発に努力すべき目標である。これに鑑みて、本考案の考案者の意念を抱き、長年の経験に基づいて設計を行い、多くの検討及び試作品実験を行い、複数回の修正及び改良を加え、本考案を完成した。
【先行技術文献】
【特許文献】
【０００９】
【特許文献１】米国特許第４７４４１１１号公報
【考案の概要】
【考案が解決しようとする課題】
【００１０】
従来の仮設トイレはボルトと角ブラケットを利用して固定するため、ボルトを緩やかに捻る必要があるため、該従来の構造は組立時及び解体時において比較的に便利性がよくない。
【課題を解決するための手段】
【００１１】
本考案は改良構造を有する仮設トイレ組立キットを提供する。仮設トイレ組立キットは、１つの台座、４本の側柱、４本の鞘管、４枚のパネル及び１つの屋根を含み、そのうち、台座の前方には踏み台エリアが設けられ、踏み台エリアの後方には高くなっている使用エリアがあり、踏み台エリアと使用エリア上には、それぞれ洗浄用ペダル及び便器を装着され、台座の４辺の角には、それぞれ１つのねじ孔が設けられ、使用エリアの後方の片側には、直立状の排気パイプが設けられ、側柱の上端部、下端部には、それぞれ第１スクリュースレッド部及び第２スクリュースレッド部が設けられ、鞘管の内周直径は、側柱の外周直径より大きく、鞘管の円周の片側には、上下を貫通する開口部があり、開口部の両側は外に向けて延伸する翼部を有し、開口部の位置により、鞘管は伸縮可能な弾性を有し、翼部はその結合面積を増加させ、これにより結合力を向上させる。パネルの両側の辺縁には、それぞれ１つの上下を貫通する凹部が形成され、凹部側端は外側に延伸する斜面を介し内側に折り曲がる接触辺を有し、該接触辺は弓状を呈し、これにより接触辺により側柱の外周に密着し、前方に位置するパネルには、開閉可能なドアパネルが装着され、その他のパネルの上部に近い位置には、通気窓が設けられており、及び該パネルの頂部には、スカーフ接合部が予め設けられ、屋根は台座の外周サイズに合わせて設置され、且つ４辺の角にはそれぞれ１つのスルーホールが設けられ、屋根の排気パイプと対応する位置には１つのせん孔があり、その内表面上にはスカーフ接合溝が一体形成され、これにより、改良構造を有する仮設トイレ組立キットを得ることができる。
【考案の効果】
【００１２】
本考案は以下の効果を奏する。
（一）本考案に係る改良構造を有する仮設トイレ組立キットによれば、側柱、鞘管及びパネル上における接触辺の設置により、本考案の仮設トイレは速やかに組み立てを完了することができ、施工においてより時間と手間の節約につながる。
【００１３】
（二）本考案に係る改良構造を有する仮設トイレ組立キットによれば、そのパネルには凹部が設けられ、凹部とパネル表面とが形成する高低差により、該仮設トイレは組み立て完了後に運搬することができ、使用上においてより便利である。
【００１４】
（三）本考案に係る改良構造を有する仮設トイレ組立キットによれば、各パネルの隣接する位置には、内外にそれぞれ側柱と鞘管が設けられ、二重の位置決めにより、使用時の安定性を大きく向上させた。
【００１５】
（四）本考案に係る改良構造を有する仮設トイレ組立キットによれば、鞘管は上から下に、全体的にパネルに嵌めこむことができ、これにより全面的な接触結合により、結合力の向上に役に立つ。
【図面の簡単な説明】
【００１６】
【図１】図１は本考案を示す立体組立図である。
【図２】図２は本考案を示す立体分解図である。
【図３】図３は本考案を示す組立時の断面図である。
【図４】図４は図３の局部拡大図である。
【図５】図５は本考案における、臭気を排出する状態を示す模式図である。
【図６】図６は本考案の運搬状態を示す図である。
【図７】図７は図６の局部拡大図である。
【図８】図８は本考案を吊り上げて移動させる場合の状態を示す図である。
【図９】図９は従来の構造を示す立体分解図である。
【考案を実施するための形態】
【００１７】
以下に、本考案の目的、特徴及び効果をより理解、認識してもらうため、図面にあわせて、詳しく説明する。
【００１８】
まず、図１〜図４に示すように、本考案に係る改良構造を有する仮設トイレ組立キットは、以下を含む。即ち、１つの台座１０、４本の側柱２０、４本の鞘管３０、４枚のパネル４０及び１つの屋根５０を含み、そのうち、台座１０の前方には踏み台エリア１１が設けられ、踏み台エリア１１の後方には高くなっている使用エリア１２があり、また踏み台エリア１１と使用エリア１２上に、それぞれ洗浄用ペダル１３及び便器１４を装着する。台座１０の４辺の角には、それぞれ１つのねじ孔１５が設けられ、使用エリア１２の後方の片側には、直立状の排気パイプ１６があり、側柱２０の上端部、下端部には、それぞれ第１スクリュースレッド部２１及び第２スクリュースレッド部２２が設けられる。鞘管３０の内周直径は、側柱２０の外周直径より大きく、円周の片側には、上下を貫通する開口部３１があり、開口部３１の両側は外に向けて延伸する翼部３２を有し、開口部３１の設置により、鞘管３０は伸縮可能な弾性を有し、翼部３２はその結合面積を増加させ、これにより結合力を向上させる。パネル４０の両側の辺縁には、それぞれ上下を貫通する凹部４１が形成され、凹部４１側端は外側に延伸する斜面４２を介して内側に折り曲がる接触辺４３を有し、該接触辺４３は弓状（１／４円周）を呈し、これにより接触辺４３により側柱２０の外周に密着し、前方に位置するパネル４０には、開閉可能なドアパネル４４が装着される。その他のパネルの上部に近い位置には、通気窓が設けられ（図示していない）、及び該パネル４０の頂部には、いずれもスカーフ接合部４５が予め設けられ、屋根５０は台座１０の外周サイズに合わせて設置され、且つ４辺の角にはそれぞれ１つのスルーホール５１が設けられ、屋根１０の排気パイプ１６と対応する位置にはせん孔５２があり、内表面上には予めスカーフ接合溝５３が一体成型設けられている。
【００１９】
該構造の組み立ては、図１、図３及び図４に示すように、側柱２０は第２スクリュースレッド部２２により、台座１０のねじ孔１５に捻じ込み、台座１０上に直立するように装着される。各パネル４０は台座１０の周囲を囲み、且つ接触辺４３は側柱２０外周に密着することで支持が得られ、鞘管３０は開口部３１を利用して、上から下に嵌めることで２枚のパネル４０の接触辺４３の外周上に嵌り、鞘管３０の本来の弾性と、翼部３２が斜面４２上に接触することにより、より確実にパネル４０を側柱２０に結束させ、パネル４０に内側、外側からの二重の位置決めを提供し、最後に屋根５０を装着し、第１スクリュースレッド部２１をスルーホール５１から外部に延伸させ、排気パイプ１６をせん孔５２から外部に延伸させ、パネル４０のスカーフ接合部４５は屋根５０のスカーフ接合溝５３に嵌入し、これにより両者の結合位置決め力を提供し、これにより組み立てを完了する。
【００２０】
実際の使用において、該仮設トイレを室外の空地に直接設置し、仮設トイレにより固定式トイレの不足を補い、または完全に代替となる。使用する時、排気パイプ１６によりトイレ内の臭気を排出し（図５に示すものを参照）、これにより利用人数が多いためにトイレ内に臭気が蔓延することを防ぐ。また、組み立てが完了した後に、該仮設トイレを短距離移動させる必要がある場合、凹部４１とパネル４０表面とが形成する高低差により、つかみ所を提供する（図６及び図７の示すものを参照）。これにより、直接運搬がより便利で、スムーズに達成でき、またはフック６０を屋根５０上の第１スクリュースレッド部２１とをねじり合せる（図８に示すものを参照）ことにより仮設トイレを吊り上げ移動することができ、使用での適応性が広く、仮説トイレの設置、または調整がより便利となる。
【００２１】
上記の具体的な実施例の構造により、以下の効果を奏することができる。
【００２２】
（一）側柱２０、鞘管３０及びパネル上４０における接触辺４３の設置により、本考案の仮設トイレは速やかに組み立てを完了することができ、施工においてより時間と手間の節約につながる。
【００２３】
（二）そのパネル４０には凹部４１が設けられ、凹部４１とパネル表面４０とが形成する高低差により、該仮設トイレを組み立て完了後に運搬することができ、使用上においてより便利である。
【００２４】
（三）各パネル４０の隣接する位置には、内外にそれぞれ側柱２０と鞘管３０が設けられ、二重の位置決めにより、使用時の安定性を大きく向上させた。
【００２５】
（四）鞘管３０は上から下に、全体的にパネル４０に嵌めこまれることができ、これにより全面的な接触結合により、結合力の向上に有利である。
【００２６】
しかし、上記は、本考案の好適な実施例に過ぎず、本考案の範囲を制限するものではない。本考案の実用新案登録請求の範囲に従って行った様々な変更及び修正は、すべて本実用新案登録の範囲に含まれる。
【図１】
0003190835.tif 000003
【図２】
0003190835.tif 000004
【図３】
0003190835.tif 000005
【図４】
0003190835.tif 000006
【図５】
0003190835.tif 000007
【図６】
0003190835.tif 000008
【図７】
0003190835.tif 000009
【図８】
0003190835.tif 000010
【図９】
0003190835.tif 000011